(57)【要約】      （修正有）【課題】血液ポンプとシリンジポンプを共通のコンソールパネルに着脱自在に取付け得る透析装置用複合ポンプユニットを提供する。【解決手段】合成樹脂製のコンソールパネルと、このパネル表面に固定される、血液ポンプ用のロータハウジング３及びシリンジポンプ用のシリンジベース４とを有する合成樹脂製の複合ポンプユニットベース５と、上記血液ポンプ用のロータハウジングに着脱自在とされる血液ポンプ本体６と、上記シリンジベースに着脱自在とされるシリンジポンプ本体７と、上記複合ポンプユニットベースの裏側に着脱自在とされる、血液ポンプ用モータ及びシリンジポンプモータと、上記各ポンプの状態検出用のセンサ類及び駆動回路基板とより成り、上記シリンジベースはシリンジ抑えガイド、プッシャー送り機構の支持部及び、シリンジ外筒の支持部を含み、上記駆動回路基板はモータドライバと、上記センサ類の信号処理回路とを含む。【選択図】図３
2007037563.tif 000002
【特許請求の範囲】
【請求項１】
合成樹脂製のコンソールパネルと、このパネル表面に固定される、血液ポンプ用のロータハウジング及びシリンジポンプ用のシリンジベースとを有する合成樹脂製の複合ポンプユニットベースと、上記血液ポンプ用のロータハウジングに着脱自在とされる血液ポンプ本体と、上記シリンジベースに着脱自在とされるシリンジポンプ本体と、上記複合ポンプユニットベースの裏側に着脱自在とされる、血液ポンプ用モータ及びシリンジポンプモータと、上記各ポンプの状態検出用のセンサ類及び駆動回路基板とより成り、上記シリンジベースはシリンジ抑えガイド、プッシャー送り機構の支持部及び、シリンジ外筒の支持部を含み、上記駆動回路基板は上記血液ポンプとシリンジポンプのモータを作動するためのモータドライバと、上記センサ類の信号処理回路とを含み、上記各モータや各センサ類からの複数の配線、信号を統合することを特徴とする透析装置用複合ポンプユニット。
【請求項２】
上記血液ポンプ用のロータハウジング及びシリンジポンプ用のシリンジベースの少なくとも一方が上記複合ポンプユニットベースと同一材料であり、これに一体成形されていることを特徴とする透析装置用複合ポンプユニット。
【発明の詳細な説明】
【技術分野】
【０００１】
本発明は透析装置用複合ポンプユニット、特に、血液透析装置に用いる血液ポンプとシリンジポンプを共通のコンソールパネルに着脱自在に取付け得る透析装置用複合ポンプユニットに関するものである。
【背景技術】
【０００２】
一般に血液透析装置の働きは、「血液ポンプ」を使用して血液を体外に導き出して老廃物や余分な水分の除去、正常なイオン化等を行った後、再度血液を体内に戻す作業を行うことである。
【０００３】
なお、ここで血液ポンプとは患者から体外に血液を引き出すポンプであって、この血液ポンプはローラーポンプが主流である。また、このとき血液は血管外の「異物」と接触して「凝固」する働きがあるので血液ポンプを用いて体外に出た血液の凝固を防ぐために通常は体外循環中の血液に抗凝固剤のヘパリンを持続的に注入する。このためのポンプをシリンジポンプと称している。
【０００４】
このような、ローラポンプとしては特許文献１に示すものがある。また、シリンジポンプとしては特許文献２に示すものがある。
【特許文献１】特開平６−２１８０４２号公報
【特許文献２】特開平１０−１９２３９７号公報
【発明の開示】
【発明が解決しようとする課題】
【０００５】
然しながら、従来は、透析装置のフレーム、血液ポンプのハウジング等は、精度上及び強度上の問題から、メッキ鋼板や、アルミダイキャスト等の金属材料にて形成しており、シリンジポンプベースとの一体化は困難であった。
【０００６】
従って、次のような問題があった。
【０００７】
（１）金属材料を使用する為、重くなる。また、医療装置の性格上衛生面や質感等に配慮して防錆処理を施す必要があり高価になる。
【０００８】
（２）透析装置のフレームに対して、血液ポンプ及びシリンジポンプを個別に取付ける必要がある為に組立性が悪くなる。
【０００９】
（３）血液ポンプ、シリンジポンプを駆動するモータ及び、各ポンプの状態を検出する為のセンサ類とメインコントロール基板との配線作業を、血液透析装置に搭載される他の機器類、ポンプ類及び、センサ類の配線作業と同時に行う為に、配線作業が複雑となり誤配線や未配線の危険性が高かった。
【００１０】
本発明は上記の欠点を除くようにしたものである。
【課題を解決するための手段】
【００１１】
近年の樹脂材料や成形技術の進歩は目覚しく、ある程度の強度や精度を確保しながら、従来金属材料で製作していた部品を、樹脂材料で製作することが可能になった。
【００１２】
そこで、本発明の透析装置用複合ポンプユニットは、コンソールパネルと及び、このパネル表面に一体に固定される、血液ポンプ用のロータハウジング及びシリンジポンプ用のシリンジベースとを有する複合ポンプユニットベースをそれぞれ合成樹脂材料で構成した。
【００１３】
即ち、本発明の透析装置用複合ポンプユニットは、合成樹脂製のコンソールパネルと、このパネル表面に固定される、血液ポンプ用のロータハウジング及びシリンジポンプ用のシリンジベースとを有する合成樹脂製の複合ポンプユニットベースと、上記血液ポンプ用のロータハウジングに着脱自在とされる血液ポンプ本体と、上記シリンジベースに着脱自在とされるシリンジポンプ本体と、上記複合ポンプユニットベースの裏側に着脱自在とされる、血液ポンプ用モータ及びシリンジポンプモータと、上記各ポンプの状態検出用のセンサ類及び駆動回路基板とより成り、上記シリンジベースはシリンジ抑えガイド、プッシャー送り機構の支持部及び、シリンジ外筒の支持部を含み、上記駆動回路基板は上記血液ポンプとシリンジポンプのモータを作動するためのモータドライバと、上記センサ類の信号処理回路とを含み、上記各モータや各センサ類からの複数の配線、信号を統合することを特徴とする。
【００１４】
また、本発明の透析装置用複合ポンプユニットは、上記血液ポンプ用のロータハウジング及びシリンジポンプ用のシリンジベースの少なくとも一方が上記複合ポンプユニットベースと同一材料であり、これに一体成形されていることを特徴とする。
【発明の効果】
【００１５】
本発明の透析装置用複合ポンプユニットによれば、軽量でかつ、血液透析装置の組立が容易になり、誤配線や未配線の可能性が低くなると共に、メッキ等の防錆処理が不要となる為、安価になる。
【発明を実施するための最良の形態】
【００１６】
以下図面によって本発明の実施例を説明する。
【実施例１】
【００１７】
本発明においては図１に示すような箱型の合成樹脂製コンソールパネル１を用い、このコンソールパネル１の表面に形成した窪み２内に、図２に示すような、血液ポンプ用のロータハウジング３とシリンジポンプ用のシリンジベース４とを有する合成樹脂製の複合ポンプユニットベース５を固定せしめ、これらロータハウジング３とシリンジベース４に図３に示すように夫々血液ポンプ本体６とシリンジポンプ本体７とを複合ポンプユニットベース５の表側において離脱自在に取り付けると共に、同じく図４に示すように上記複合ポンプユニットベース５の裏側に血液ポンプ用のモータ８と、シリンジポンプ用のモータ９と、シリンジポンプ用の過負荷センサ１０等のセンサ類及び駆動回路基板１１等を離脱自在に取り付ける。
【００１８】
なお、図２において１２はシリンジ外筒の支持部、１３はシリンジ押えガイド、１４はプッシャー送り機構の支持部貫通孔である。また、上記シリンジポンプ本体７には図３に示すようにシリンジ押え１５、シリンジ押し子用プッシャー１６及びこのプッシャー１６を保持して、直線運動を可能とするプッシャー送り機構１７等を有せしめる。
【００１９】
一方、血液ポンプ本体６には図３に示すようにロータカバー１８、モータ出力軸に脱着自在に取付けたロータ機構１９等を有せしめる。
【００２０】
また、センサ類として過負荷センサ１０の他に、図示はしないが血液ポンプの状態検出用のロータカバー開閉センサ、ロータ回転検出センサ、及びシリンジポンプの状態検出用のシリンジサイズ識別センサ、終了位置センサ、押し子外れ検出センサ等を着脱自在に取付ける。
【００２１】
また、上記駆動回路基板１１は各ポンプの駆動源となるモータを動作するためのモータドライバ、各ポンプに搭載されたセンサ類の信号処理回路、及び上記各モータ及び各ポンプに搭載されたセンサ類との配線、信号を統合したメインコントローラとのＩ／Ｆ回路等を有せしめる。ここで、メインコントローラとは血液透析装置全体の動作をコントロールする回路のことである。尚、上記シリンジポンプユニット用のシリンジベース４と血液ポンプ用のロータハウジング３は複合ポンプユニットベース５と同一の合成樹脂材料で一体のものとしても良い。
【００２２】
また、上記血液ポンプ用のロータハウジング３及びシリンジベース４の両方、あるいはどちらか一方を上記複合ポンプユニットベース５と異なる材料で別体のものとする事も可能である。
【００２３】
本発明の透析装置用複合ポンプユニットは上記のような構成であるから、軽量でかつ、血液透析装置の組立が容易になり、誤配線や未配線の可能性が低くなると共に、メッキ等の防錆処理が不要となる為、安価になる。
【図面の簡単な説明】
【００２４】
【図１】本発明の透析装置用複合ポンプユニットが取付けられるコンソールパネルの斜視図である。
【図２】図１に示すコンソールパネルの表面の窪みに嵌合せしめる複合ポンプユニットベースの斜視図である。
【図３】図２に示す、複合ポンプユニットベースに血液ポンプ本体とシリンジポンプ本体を実装せしめた透析装置用複合ポンプユニットを、図１に示すコンソールパネルに取付けた平面図である。
【図４】図２に示す、複合ポンプユニットベースの裏面に血液ポンプ用モータとセンサ及び駆動回路基板等を実装せしめた本発明の透析装置用複合ポンプユニットの裏面から見た斜視図である。
【符号の説明】
【００２５】
１  コンソールパネル
２  窪み
３  血液ポンプ用のロータハウジング
４  シリンジポンプ用のシリンジベース
５  複合ポンプユニットベース
６  血液ポンプ本体
７  シリンジポンプ本体
８  血液ポンプ用のモータ
９  シリンジポンプ用のモータ
１０  シリンジポンプ用の過負荷センサ
１１  駆動回路基板
１２  シリンジ外筒の支持部
１３  シリンジ押えガイド
１４  プッシャー送り機構の支持部貫通孔
１５  シリンジ押え
１６  シリンジ押し子用プッシャー
１７  プッシャー送り機構
１８  ロータカバー
１９  ロータ機構
【図１】
2007037563.tif 000003
【図２】
2007037563.tif 000004
【図３】
2007037563.tif 000005
【図４】
2007037563.tif 000006